(57)【要約】【課題】簡単な操作でスポット送風とマイルド送風を切換調整することができるレジスタを提供する。【解決手段】回動ルーバーの上流側に、拡散用の１対の拡散フィン１０，１１が通風路８内の両側の弦状縁部を開閉回動可能に枢支される。１対の拡散フィン１０，１１は、通風路８の通風方向と平行な中心軸の両側に配置され、拡散フィンの支軸１０ｂ、１１ｂは通風路８の中心軸と直角方向に配置される。拡散フィンの支軸１０ｂ、１１ｂには操作ダイヤル２１を設けた回動操作機構２０が連係される。回動操作機構２０は、操作ダイヤル２１の回動に応じて、１対の拡散フィン１０、１１を、通風路の通風方向と平行な状態から、通風方向と直角な状態で通風路８内の両側の弦状縁部を閉じて狭窄するまでの範囲で回動させる。【選択図】図１
2014119246.tif 000002
【特許請求の範囲】
【請求項１】
略円形の空気吹出口を設けたベゼルの内側に、円筒フレームを有した回動ルーバーが該円筒フレーム内の通風路の通風方向と平行な中心軸の回りで回動可能に配設され、該回動ルーバーの円筒フレーム内に、該通風方向と直角方向に複数の可動フィンが該直角方向の支軸により回動可能に軸支されてなるレジスタにおいて、
該回動ルーバーの上流側に、拡散用の１対の拡散フィンが該通風路の横断面の両側の弦状縁部を開閉回動可能に枢支され、該１対の拡散フィンは、該通風路の通風方向と平行な中心軸の両側に配置されるとともに、該拡散フィンの支軸が該通風路の該中心軸と直角方向に配置され、該拡散フィンの支軸には操作ダイヤルを設けた回動操作機構が連係され、
該回動操作機構は、該操作ダイヤルの回動に応じて、該１対の拡散フィンを、該通風路の該通風方向と平行な状態と該通風方向と直角な状態との間で回動させ、該拡散フィンは該直角な状態で該通風路の両側の弦状縁部を閉じて該通風路を狭窄することを特徴とするレジスタ。
【請求項２】
前記１対の拡散フィンの支軸は、フィン本体の長手方向の両端部における下流側の端部近傍に突設され、前記回動ルーバーの円筒フレームの内側に該円筒フレームの中心軸と直角方向に向けて該支軸が支持させることを特徴とする請求項１記載のレジスタ。
【請求項３】
前記円筒フレームの内側縁部に、前記回動操作機構を取り付けた取付部が設けられ、該回動操作機構は複数のリンクを介して前記操作ダイヤルと前記拡散フィンの支軸間を連結して構成され、該操作ダイヤルは該取付部の正面に設けた開口部から正面側に露出して回動可能に軸支されたことを特徴とする請求項２記載のレジスタ。
【請求項４】
前記回動操作機構は、前記操作ダイヤルの回動軸から偏移して設けた操作ダイヤルの偏移軸に第１リンクが連結され、該第１リンクの端部が第２リンクを介して一方の拡散フィンの支軸に連結され、該第２リンクに第３リンクが連結され、該第３リンクの端部が第４リンクを介して他方の拡散フィンの支軸に連結されて構成された請求項３記載のレジスタ。
【請求項５】
前記１対の拡散フィンは、前記回動ルーバーの複数の可動フィンの直ぐ上流側に隣接して配設され、該拡散フィンの両側に突設された支軸は、前記円筒フレームの上流側端部に設けた軸受部に嵌合され、該拡散フィンを通風路の通風方向と直角状態に回動させたとき、該拡散フィンのフィン本体は該円筒フレームの上流側の弦状縁部を覆うことを特徴とする請求項１記載のレジスタ。
【発明の詳細な説明】
【技術分野】
【０００１】
本発明は、自動車等の空調装置用の吹出口として使用されるレジスタに関し、特に車室内の天井部分において好適に使用可能な丸型のレジスタに関する。
【背景技術】
【０００２】
従来、円形の空気吹出口を有する丸型のレジスタとして、円筒状のフレーム内に、送風方向に沿った中心軸の回りで回動可能な丸型の回動ルーバーを備えたレジスタが、下記特許文献１などにより知られている。
【先行技術文献】
【特許文献】
【０００３】
【特許文献１】米国特許公開公報ＵＳ２０１２／０１２２３８７Ａ１
【発明の概要】
【０００４】
このレジスタは、円形の空気吹出口を有するベゼルの内側に、リング体を、通風方向と平行な中心軸を軸に回転可能に嵌め込み、このリング体内に、その中心軸と直角方向の回動軸を有する複数の回動ルーバーを、傾動可能に軸支して構成される。
【０００５】
リング体内の複数の回動ルーバーはリンク部材により連結され、何れか１枚の回動ルーバーを持って傾動させれば、全ての回動ルーバーが同じ方向に傾動し、空気吹出口から吹出す空気流の方向を、回動ルーバーの回動方向に変えることができる。また、回動ルーバーを含むリング体は、回動ルーバーを傾斜させた状態で、その中心軸の回りで回転させれば、回動ルーバーの傾斜方向が変わるので、空気吹出口から吹き出す空気流の送風方向が、回動ルーバーの傾斜方向とともに変わるように動作する。この種のレジスタは、本体の前後幅が比較的短く形成できるため、設置スペースの少ない車内の天井部分などで主に使用される。
【発明が解決しようとする課題】
【０００６】
ところで、この種の従来のレジスタは、回動ルーバーを傾動操作して或いはリング体を回して、送風方向を変えることができるものの、回動ルーバーによって風向を決めた場合、空気吹出口から送風される空気流の吹出し速度や風量は殆ど同じ状態で送風されるのみである。
【０００７】
このため、使用者がレジスタからの送風を受ける場合、速度や風量が大きい所謂スポット送風を受けたい場合と速度や風量が少ない所謂マイルド送風を受けたい場合があり、使用者がスポット送風とマイルド送風を簡単に切換調整することができるレジスタが要望されていた。
【０００８】
本発明は、上述の課題を解決するものであり、簡単な操作でスポット送風とマイルド送風を切換調整することができるレジスタを提供することを目的とする。
【課題を解決するための手段】
【０００９】
上記目的を達成するために、本発明のレジスタは、略円形の空気吹出口を設けたベゼルの内側に、円筒フレームを有した回動ルーバーが該円筒フレーム内の通風路の通風方向と平行な中心軸の回りで回動可能に配設され、該回動ルーバーの円筒フレーム内に、該通風方向と直角方向に複数の可動フィンが該直角方向の支軸により回動可能に軸支されてなるレジスタにおいて、
該回動ルーバーの上流側に、拡散用の１対の拡散フィンが該通風路の横断面の両側の弦状縁部を開閉回動可能に枢支され、該１対の拡散フィンは、該通風路の通風方向と平行な中心軸の両側に配置されるとともに、該拡散フィンの支軸が該通風路の該中心軸と直角方向に配置され、該拡散フィンの支軸には操作ダイヤルを設けた回動操作機構が連係され、
該回動操作機構は、該操作ダイヤルの回動に応じて、該１対の拡散フィンを、該通風路の該通風方向と平行な状態と該通風方向と直角な状態との間で回動させ、該拡散フィンは該直角な状態で該通風路の両側の弦状縁部を閉じて該通風路を狭窄することを特徴とする。
【００１０】
この発明によれば、使用者が回動操作機構の操作ダイヤルを操作して、１対の拡散用フィンを通風路の通風方向と平行な状態に回動させると、円筒フレーム内の通風路を通過する空気流はそのままストレートに空気吹出口に向かい、回動ルーバーの可動フィンを通過し、可動フィンによりガイドされる方向に、スポット風としてストレートにスポット送風される。
【００１１】
一方、操作ダイヤルを操作して、１対の拡散フィンを通風路の通風方向と直角な状態に回動させると、それによって通風路の両側縁部が拡散フィンにより閉じられ、通風路が両側から狭窄された状態となる。このため、円筒フレーム内の通風路を通過する空気流は、両側の拡散フィンにより両側を狭窄された通風路の中央部分のみを絞られた状態で通過し、その後、絞りが開放されて空気吹出口から送風される。これにより、空気流は両側に拡散するような拡散状態となって空気吹出口から吹き出され、マイルド風としてマイルド送風される。
【００１２】
このマイルド送風時の空気流の速度及び風量は、１対の拡散フィンによって絞られることにより、スポット送風の場合より減少し、マイルドな風として送風されるので、使用者は、回動操作機構の操作ダイヤルを操作して、簡単にスポット送風とマイルド送風を切換調整することができる。
【００１３】
また、回動ルーバーの上流側に１対の拡散フィンを軸支するのみで構成できるため、レジスタの前後幅をそれほど増大させずに、前後幅の短い簡単な構造のレジスタとして製作することができ、車室内の天井部分などの少ないスペースに設置することが可能である。
【００１４】
ここで、上記１対の拡散フィンの支軸は、フィン本体の長手方向の両端部における下流側の端部近傍に突設され、回動ルーバーの円筒フレームの内側に、該円筒フレームの中心軸と直角方向に向けて支持させるように構成することができる。これによれば、拡散フィンの前後幅を比較的小さく形成し、レジスタの前後幅を短く小型化することができ、拡散フィンを回動操作したときのスポット送風とマイルド送風の切換調整を適正に行なうことができる。さらに、中心軸の回りで円筒フレームを回動させ回動ルーバーを回動させたとき、拡散フィンも共に回動し、拡散フィンによって拡散する拡散方向を回動ルーバーの回動操作に応じて変えることができる。
【００１５】
さらに、上記円筒フレームの内側縁部には、上記回動操作機構の取付部が設けられ、該回動操作機構は複数のリンクを介して上記操作ダイヤルと上記拡散フィンの支軸間を連結して構成され、該操作ダイヤルは該取付部の正面に設けた開口部から正面側に露出して回動可能に軸支するように構成することができる。これによれば、回動操作機構及び操作ダイヤルが回動ルーバーの円筒フレームの内側に配設されるので、レジスタの外形を大型化せずに構成することができ、操作ダイヤルを簡便に操作して、拡散フィンを回動調整することができる。
【００１６】
また、上記回動操作機構は、上記操作ダイヤルの回動軸から偏移した操作ダイヤルの偏移軸に第１リンクが連結され、第１リンクの端部が第２リンクを介して一方の拡散フィンの支軸に連結され、該第２リンクに第３リンクが連結され、該第３リンクの端部が第４リンクを介して他方の拡散フィンの支軸に連結し、リンク機構から構成することができる。これによれば、回動操作機構をリンク結合のみで比較的簡単に構成することができ、回動ルーバーの円筒フレームの内側の狭小スペースに回動操作機構を取り付けることができる。
【発明の効果】
【００１７】
本発明のレジスタによれば、簡単な操作でスポット送風とマイルド送風を切換調整することができる。
【図面の簡単な説明】
【００１８】
【図１】本発明の一実施形態を示すレジスタの正面図である。
【図２】同レジスタの背面図である。
【図３】同レジスタの右側面図である。
【図４】同レジスタの左側面図である。
【図５】同レジスタの平面図である。
【図６】同レジスタの底面図である。
【図７】正面側から見たレジスタの角度を変えた斜視図（ａ）（ｂ）である。
【図８】背面側から見たレジスタの角度を変えた斜視図（ａ）（ｂ）である。
【図９】背面側の下方から見たレジスタの角度を変えた斜視図（ａ）（ｂ）である。
【図１０】スポット送風時の回動操作機構の動作を示す図１の概略X-X断面図（ａ）とマイルド送風時の同X-X断面図（ｂ）である。
【図１１】回動ルーバーを開放した状態の図１の概略XI-XI断面図（ａ）と回動ルーバーを閉じた状態の図１のXI-XI断面図（ｂ）である。
【図１２】スポット送風時の図１の概略XII-XII断面図（ａ）とマイルド送風時の同XII-XII断面図（ｂ）である。
【図１３】スポット送風時の空気流の流れを示す同XII-XII断面図（ａ）とマイルド送風時の空気流の流れを示す同XII-XII断面図（ｂ）である。
【図１４】拡散フィンを中心軸と直角に回動させて弦状縁部を閉じた状態の斜視図である。
【発明を実施するための形態】
【００１９】
以下、本発明の一実施形態を図面に基づいて説明する。図１、２に示すように、本レジスタは丸型レジスタとして構成され、概略的には、円形の空気吹出口９を設けた円形のベゼル１の内側に、円筒フレーム３を有した回動ルーバー２が、円筒フレーム３内の通風路８の通風方向と平行な中心軸Ｓ１の回りで回動可能に配設される。回動ルーバー２の円筒フレーム３内には、通風方向と直角方向に３枚の可動フィン４〜６が、各々、直角方向の支軸４ａ，４ｂ，５ａ，５ｂ，６ａ，６ｂにより回動可能に軸支される。
【００２０】
円形のベゼル１の内側に、回動ルーバー２の円筒フレーム３が回動可能に嵌合され、回動ルーバー２はその可動フィン４〜６を持って中心軸Ｓ１の回りで回動操作することにより、任意の方向に回すことができる。回動ルーバー２の円筒フレーム３の内部には、通風路８が形成され、通風路８の送風方向と平行な中心軸Ｓ１と直角方向に、図１１、１２に示す如く、３枚の可動フィン４，５，６が、回動操作可能に並設されている。
【００２１】
３枚の可動フィン４，５，６は、各々両端部に、支軸４ａ，４ｂ，５ａ，５ｂ，６ａ，６ｂが突設され、各々の支軸４ａ，４ｂ，５ａ，５ｂ，６ａ，６ｂは、図１１のように、円筒フレーム３の内側に、約９０°の角度範囲で、中心軸Ｓ１と平行な開放状態から直角の閉鎖状態（空気吹出口９の閉鎖）まで、回動可能に軸支される。
【００２２】
また、図１１のように、各可動フィン４〜６の内側には、各々、アーム４ｃ、５ｃ、６ｃ及び連結軸４ｄ、５ｄ、６ｄを介して１本のリンクバー７が連結され、３枚の可動フィン４〜６が連動して回動するようになっている。なお、最上部の可動フィン４は、図７に示すように、略弦状形状（前部円弧状）に形成され、使用者が操作する際、指を可動フィン４近傍に挿入しやすく、可動フィン４を指で把持しやすい形状としている。
【００２３】
ベゼル１内側の円筒フレーム３内には前後幅の短い通風路８が形成され、通風路８の前部はベゼル１に設けた空気吹出口９として開口し、回動ルーバー２の回動向きに応じた方向に空気流を空気吹出口９から前方に送風する構造である。図１１（ｂ）に示すように、上記回動ルーバー２の３枚の可動フィン４〜６は、中心軸Ｓ１と直角の閉鎖位置まで回動したとき、縁部が相互に重なり合い、空気吹出口９を略完全に閉鎖することができる。
【００２４】
さらに、図１に示す如く、円筒フレーム３の内側縁部（図１の下側縁部）に、後述の回動操作機構２０と操作ダイヤル２１を取り付けるための取付部２６が設けられる。取付部２６の正面に開口部２６ａが形成され、操作ダイヤル２１がその開口部２６ａから露出して配設される。操作ダイヤル２１は、図１０，１１に示すように、可動フィン４〜６と略平行に配置され、回動軸２１ａにより回動可能に軸支されている。操作ダイヤル２１には回動軸２１ａとは別に偏移軸２１ｂが設けられ、その偏移軸２１ｂを介して操作ダイヤル２１は後述の拡散フィン１０，１１を回動するための回動操作機構２０に連係接続される。
【００２５】
１対の拡散フィン１０，１１は、回動ルーバー２の円筒フレーム３の両側の弦状縁部を閉じて通風路８を狭窄することにより、空気吹出口９からの送風を拡散させ、マイルド送風を行なうために設けられる。
【００２６】
すなわち、回動ルーバー２の上流側の円筒フレーム３内に、図１１，１２に示す如く、拡散用の１対の拡散フィン１０，１１が、通風路８の横断面における両側の弦状縁部を開閉するように枢支される。１対の拡散フィン１０，１１は、通風路８の通風方向と平行な中心軸Ｓ１の両側に配置され、拡散フィン１０，１１の上下（両端）の支軸１０ｂ、１０ｃ、１１ｂ、１１ｃは通風路８の中心軸Ｓ１と直角方向に設けられ、下側の支軸１０ｃ、１１ｃは操作ダイヤル２１を設けた回動操作機構２０に連係される。これにより、１対の拡散フィン１０，１１は、図８，９、図１２（ａ）、図１３（ａ）に示す開放状態（通風路８の中心軸Ｓ１と平行な状態）から、図１２（ｂ）、図１３（ｂ）、図１４に示すような弦状縁部の閉鎖状態まで回動するようになっている。
【００２７】
つまり、拡散フィン１０，１１は、可動フィン４〜６の長手方向（軸方向）と直角方向に配置され、且つ円筒フレーム３の中心を通る中心軸Ｓ１に対する垂線Ｓ２（図１、２）と平行に配置され、その垂線Ｓ２の両側の線対称位置に、１対の拡散フィン１０，１１は配置される。各拡散フィン１０，１１のフィン本体１０ａ，１１ａは、図１１に示すように、円筒フレーム３内の通風路８内における両側の弦状縁部を閉鎖可能な形状に形成され、フィン本体１０ａ，１１ａの上部と下部に支軸１０ｂ、１０ｃ、１１ｂ、１１ｃが突設される。
【００２８】
そして、１対の拡散フィン１０，１１は、それらの支軸１０ｂ、１０ｃ、１１ｂ、１１ｃを円筒フレーム３に支持させて回動可能に軸支され、約９０°の範囲で（通風路８の中心軸Ｓ１と平行な図１２（ａ）の状態から中心軸Ｓ１と垂直な図１２（ｂ）の状態まで）回動可能である。また、１対の拡散フィン１０、１１は、図１２に示すように、中心軸Ｓ１の両側において対称的に開閉回動し、通風路８内の両側の弦状縁部を開放し閉鎖するように動作する。
【００２９】
このために、図１０に示す回動操作機構２０が、取付部２６の内側に取り付けられる。この回動操作機構２０は、図１０の如く、４本のリンク部材つまり第１リンク２２、第２リンク２３、第３リンク２４、及び第４リンク２５を備えて構成される。拡散フィン１０の支軸１０ｃには第２リンク２３の中央部が連結され、拡散フィン１１の支軸１１ｃに第４リンク２５の端部がリンク結合される。
【００３０】
さらに、第１リンク２２が第２リンク２３の一端部と操作ダイヤル２１の偏移軸２１ｂ間に連結され、第２リンク２３の他端部と第４リンク２５の端部間に第３リンク２４がリンク結合される。これにより、回動操作機構２０は、操作ダイヤル２１を回動操作すると、図１０（ａ）（ｂ）に示す如く、１対の拡散フィン１０，１１が、通風路８の通風方向と平行な状態つまり中心軸Ｓ１と平行な開放状態から、通風方向と直角な状態で通風路８の両側の弦状縁部を閉じて、通風路８を狭窄する状態まで、その角度範囲で往復回動する構造となっている。
【００３１】
上記構成のレジスタは、例えば自動車の車室内の天井部分に取り付けられ、天井部分に配設された空調装置のダクトの開口部に、ベゼル１の後部を嵌め込み、空気吹出口９を下方に向けて装着される。上述の如くこのレジスタは、回動ルーバー２の可動フィン４〜６の直ぐ上流側に、１対の拡散フィン１０，１１が円筒フレーム３内に配設され、拡散フィン１０，１１を開閉させる回動操作機構２０が円筒フレーム３内の取付部２６に装着され、レジスタの前後幅は短くコンパクトな構造である。このため、車室の天井部分に配設される、比較的高さの低いダクトに対して簡便に装着することができる。
【００３２】
レジスタの送風方向を変える場合、回動ルーバー２の可動フィン４を持って回動ルーバー２を傾動操作し或いは中心軸Ｓ１の回りで回動操作して送風方向を調整する。拡散フィン１０，１１が図１２（ａ）のように中心軸Ｓ１と平行な開放状態となっている場合、図１３（ａ）のように通風路８を通る空気流はストレートに空気吹出口９から送風され、回動ルーバー２の可動フィン４〜６が向く方向に、ストレートな風が吹き出され、スポット送風が行なわれる。
【００３３】
一方、マイルドな風を送風する場合、操作ダイヤル２１を図１０（ｂ）のように左側に回動操作する。このとき、操作ダイヤル２１の回転は、第１リンク２２、第２リンク２３を介して一方の拡散フィン１０に伝達されるとともに、第２リンク２３、第３リンク２４、第４リンク２５を介して他方の拡散フィン１１に伝達され、これにより、図１２（ｂ）のように、左側の拡散フィン１０が左側に９０°回動し、右側の拡散フィン１１が右側に９０°回動する。このため、両側の拡散フィン１０、１１は通風路８内の両側の弦状縁部を閉じるように回動し、通風路８内の両側の弦状縁部が閉鎖状態となる。
【００３４】
これにより、図１４に示す如く、回動ルーバー２の上流側に位置する１対の拡散フィン１０と拡散フィン１１は、円筒フレーム３内の通風路８の上流側において、両側の弦状縁部を閉じ、通風路８の上流側で狭窄するように動作する。このため、狭窄された通風路８を流れる空気流は、図１３（ｂ）に示すように、先ず拡散フィン１０，１１の間を通過する際に絞られ、その後、通風路８を通過しながら拡がるように流れ、空気吹出口９から拡散して送風される。またことのき、送風される空気流の流量及び風速は狭窄によって減少するため、マイルドな風が車室内に送風されることとなる。
【００３５】
このように、拡散フィン１０，１１を通風方向と平行にしたスポット送風時には、空気流が通風路８内をストレートに流れて、回動ルーバー２によってガイドされた風がそのまま送風されるので、スポット風が送風される。一方、マイルド送風時には、拡散フィン１０，１１を通風方向と直角に回動させ、通風路８の両側の弦状縁部を閉じて絞ることにより、送風を拡散させ、スポット送風の場合より空気流の流量及び速度が減少し、マイルドな風として送風される。これにより、使用者は、回動操作機構２０の操作ダイヤル２１を操作して、簡単にスポット送風とマイルド送風を切換調整することができる。
【００３６】
なお、上記実施形態の回動ルーバー２には、３枚の可動フィン４〜６を設けたが、例えば可動フィンの数を２枚或いは４枚とすることもできる。また、上記操作ダイヤル２１は円筒フレーム３内の取付部２６に配設したが、他の部分例えばベゼル１の外側部分に配設することもできる。
【符号の説明】
【００３７】
１      ベゼル
２      回動ルーバー
３      円筒フレーム
４      可動フィン
４ａ    支軸
４ｃ    アーム
４ｄ    連結軸
７      リンクバー
８      通風路
９      空気吹出口
１０    拡散フィン
１０ａ  フィン本体
１０ｂ  支軸
１０ｃ  支軸
１１    拡散フィン
１１ｃ  支軸
２０    回動操作機構
２１    操作ダイヤル
２１ａ  回動軸
２１ｂ  偏移軸
２２    第１リンク
２３    第２リンク
２４    第３リンク
２５    第４リンク
２６    取付部
２６ａ  開口部
【図１】
2014119246.tif 000003
【図２】
2014119246.tif 000004
【図３】
2014119246.tif 000005
【図４】
2014119246.tif 000006
【図５】
2014119246.tif 000007
【図６】
2014119246.tif 000008
【図７】
2014119246.tif 000009
【図８】
2014119246.tif 000010
【図９】
2014119246.tif 000011
【図１０】
2014119246.tif 000012
【図１１】
2014119246.tif 000013
【図１２】
2014119246.tif 000014
【図１３】
2014119246.tif 000015
【図１４】
2014119246.tif 000016